(57)【要約】      （修正有）【課題】紙票供給部の全高が低く、紙票作成のための諸手段の部材交換作業やメンテナンス作業がやり易いことに加えて、紙票のカール状態の如何に関わらず紙票の搬送を安定して行うことのできる紙票添付装置を提供する。【解決手段】紙票を供給する紙票供給部１０１と紙票を被添付物に添付する紙票添付部１０２とを有する紙票添付装置１００であって、紙票添付部１０２が、紙票供給部１０１から紙票０１を引き取って搬送する搬送手段２０と、搬送手段２０中で略水平の紙票０１を上方から被添付物０２に向けて押し出して添付する紙票添付手段２２と、略水平の紙票０１を両面から挟んで駆動転回可能な紙票転回手段とを備えている。【選択図】図１
2007106458.tif 000002
【特許請求の範囲】
【請求項１】
紙票を供給する紙票供給部と紙票を被添付物に添付する紙票添付部とを有する紙票添付装置において、
前記紙票添付部が、前記紙票供給部から紙票を引き取って搬送する搬送手段と、前記搬送手段による紙票搬送中に略水平の紙票を上方から被添付物に向けて押し出して添付する紙票添付手段と、略水平の紙票を両面から挟んで駆動転回可能な紙票転回手段と、を備えたことを特徴とする紙票添付装置。
【請求項２】
前記搬送手段が、前記紙票添付手段の動作する領域を確保するために搬送方向に分断されて設けられ、且つ紙票が前記搬送手段の分断域を越える際に紙票端部の垂れ下がりを防止する第１エアー吹き付け手段を備えたことを特徴とする請求項１に記載の紙票添付装置。
【請求項３】
前記搬送手段が、前記紙票添付手段の動作する領域を確保するために搬送方向に分断されて設けられ、且つ紙票が前記搬送手段の分断域を越える際に紙票端部の垂れ下がりを防止する第１エアー吹き付け手段を備え、更に、前記第１エアー吹き付け手段のエアー吹き付けによって前記搬送手段の分断域を越えた紙票の端部を当該搬送手段に設けられたコンベヤーの搬送面下流側に沿わせる第２エアー吹き付け手段を備えたことを特徴とする請求項１に記載の紙票添付装置。
【発明の詳細な説明】
【技術分野】
【０００１】
この発明は、紙票を被添付物に添付する紙票添付装置に係り、例えば、発送処理情報等の情報を記録して別に作成した紙票を搬送装置によって搬送される被添付物に添付する紙票添付装置や同一装置内で発送処理情報等の情報を記録して作成した紙票を搬送装置によって搬送される被添付物に添付する紙票添付装置に関する。
【背景技術】
【０００２】
紙票、例えば宛名紙票を新聞社から販売店に発送する新聞束（被添付物）に添付する紙票添付装置としては、例えば、特許文献１、特許文献２、及び特許文献３に開示されているようなものがある。
【０００３】
特許文献１に示されている紙票添付装置は、新聞束を搬送する新聞束搬送装置を紙票供給部と紙票添付部からなる装置全体が跨いで配置されている。紙票は、新聞束搬送装置によって長辺を前後にして搬送される新聞束の上面に搬送方向に対し長辺を前後にして添付される（図６参照）。
【０００４】
特許文献２には紙票を作成して添付する紙票添付装置が示されており、この紙票添付装置は、紙票を作成して供給する紙票供給部と紙票添付部からなり、両者は区分けされ、紙票供給部は新聞束を搬送する新聞束搬送装置の横側に配置され、紙票添付部は新聞束搬送装置を跨いで配置されている。紙票は、新聞束搬送装置によって短辺を前後にして搬送される新聞束の上面に搬送方向に対し短辺を前後にして添付される（図５参照）。
【０００５】
特許文献３にも紙票を作成して添付する紙票添付装置が示されており、この紙票添付装置は、紙票を作成して供給する紙票供給部と紙票添付部からなり、両者は区分けされ、紙票供給部は新聞束を搬送する新聞束搬送装置の横側に配置され、紙票添付部は新聞束搬送装置を跨いで配置されている。そして、この紙票添付装置は、紙票供給部に紙票を自重により９０°転回させる直立型の紙票転回手段を設け、紙票は、特許文献２に示されるものと同様に、新聞束搬送装置によって短辺を前後にして搬送される新聞束の上面に搬送方向に対し短辺を前後にして添付されるだけでなく、新聞束が、後に説明するように新聞束搬送装置のレイアウトの関係から、その長辺を前後にして搬送される場合には、これに対応して長辺を前後にして添付されることを可能としている。
【０００６】
尚、紙票添付に際して紙票は、紙票供給部から紙票添付部に向けて搬送されるが、この搬送は搬送手段中に待機させる紙票数を多くするとともに一枚分の送り出し距離を短くして作動効率を高くし得るように、紙票の搬送は紙票の短辺と平行に行われるのが通常である。
【特許文献１】実公平４−４０９１５号公報
【特許文献２】特公平６−４３１４０号公報
【特許文献３】特公平６−１７１２６号公報
【発明の開示】
【発明が解決しようとする課題】
【０００７】
図５、図６は、輪転機によって印刷された新聞束搬送装置の従来のレイアウトを示す図である。輪転機２０１によって印刷された新聞は、図５に示すように、矢印方向に搬出されて集積装置２０２によって一定量の新聞束すなわち被添付物０２となって、新聞束搬送装置２００によって矢印方向に搬送され、紙票供給部３０１が新聞束搬送装置２００の横側に配置され且つ紙票添付部３０２が新聞束搬送装置２００を跨いで配置された紙票添付装置１０６を経由して搬送される。或いは、図６に示すように、紙票供給部と紙票添付部からなる装置全体が新聞束搬送装置２００を跨ぐように配置された紙票添付装置１０５で紙票０１が添付され、包装装置２０３によって包装材２０４で包まれ、紙票読取り装置２０５を経由して搬送される。但し、図６は、図５の装置に加えて、建物の柱等の障害物２０８の位置関係で、新聞束搬送装置２００の搬送方向を９０°変換させる搬送方向変換装置２０６を配置している。
【０００８】
前記紙票添付装置１０５は、紙票供給部と紙票添付部からなる装置全体が新聞束搬送装置２００を跨いで配置されるために、及び新聞束搬送装置２００で搬送される新聞束０２の通過高さを確保する必要があるために、装置全体の高さが高くなり、部材の交換作業やメンテナンス作業がやり難いなどの問題点があった。
【０００９】
そのため、紙票添付装置１０６では、新聞束搬送装置２００の横側に紙票供給部３０１を配置し、新聞束搬送装置２００を跨いだ紙票添付部３０２を紙票供給部３０１と分割して配置した。これによって紙票供給部３０１に関して新聞束０２の通過高さを確保する必要がなくなった。このように、紙票供給部３０１の高さを低くしたことで、前記紙票添付装置１０５の問題点を解消した。
【００１０】
他方、近年の輪転機の高速化に伴い、印刷物である新聞の処理高速化が進められ前記紙票添付処理において、新聞束の長、短辺側と紙票の長、短辺側を整合して添付する必要性が生じてきた。これについて、新聞束上の紙票の添付位置関係を示す図である図４（ａ）、（ｂ）、（ｃ）、（ｄ）及び図５、図６を参照して説明する。尚、図中の矢印は新聞束搬送装置２００上の新聞束の進行方向を示している。
【００１１】
図５の紙票添付装置１０６に供給される新聞束０２は、新聞束搬送装置２００の進行方向に対し短辺を前後にして進行している。この場合、新聞束０２上の紙票０１の添付位置は、図４（ａ）の状態、つまり、新聞束０２上面の略中央部に新聞束０２の長、短辺側と紙票０１の長、短辺側が整合して添付された状態となっている。
【００１２】
図６の紙票添付装置１０５に供給される新聞束０２は、搬送方向変換装置２０６で搬送方向が変換された後、長辺を前後にして進行している。そして、新聞束０２上の紙票０１の添付位置は、図４（ｂ）の状態、つまり、新聞束０２上面の略中央部に新聞束０２の長、短辺側と紙票０１の長、短辺側が整合して添付された状態となっている。
【００１３】
ところで、図５における紙票添付装置１０６の代わりに図６の紙票添付装置１０５を配置すれば図４（ｃ）の状態にすることができると共に、図６における紙票添付装置１０５の代わりに図５の紙票添付装置１０６を配置すれば図４（ｄ）の状態にすることができる。しかしながら、これらの状態では新聞束０２上面の略中央部に紙票０１の長辺側が新聞束０２の短辺側になるように添付されるため、紙票０１が新聞束０２上面からはみ出た状態で添付されることもある。そのため、紙票０１が搬送途中で落下逸失したり、下流側における紙票読取り装置２０５での紙票０１の読取りが不確実になったりするおそれもある。その結果、読み取り結果に基づく発送区分処理ができなくなるという問題点が生じ、採用できない。従って、従来は、図５及び図６のように異なる型の紙票添付装置１０５又は１０６を選定して配置する必要があった。
【００１４】
この問題を解決すべく、図７に示した特許文献３の紙票添付装置１０７は、紙票０１を新聞束０２上面の必要とする添付位置に添付可能にするために、すなわち、前記図４（ａ）に加えて、図４（ｂ）の状態のように紙票０１を新聞束０２上面に添付可能とするために、紙票供給部３０３に直立型の紙票転回手段３０４を設けている。そして、紙票０１を自重で９０°転回移動させ、新聞束０２への紙票０１の添付方向を変更可能にした。従って、従来のように紙票添付装置の型を選定する必要が無く、１型式の紙票添付装置１０７の配置で良く、そのため、搬送装置のレイアウトを無理無く、且つ、無駄無く行うことができるようにした。
【００１５】
しかしながら、前記紙票転回手段３０４は、紙票０１を自重によって回転させるために直立型の形態をとっており、紙票０１を紙票０１の下端角隅部近傍をシリンダー３０５と受け部材３０６で押圧挟持し、この位置を転回支点としている。また、自重による転回であるためにカールの強い紙票０１は転回し難く、また、カールの度合いによって転回時間にばらつきが発生する等、紙票０１のカール状態によって搬送が安定しないという問題が生じた。更に、直立部分で転回するために、例えば前記紙票添付装置１０６の紙票供給部３０１よりも紙票供給部３０３の全高が高くなり、紙票作成のための諸手段の部材交換作業やメンテナンス作業がやり難いなどの問題点が生じた。つまり、この紙票添付装置１０７では前記特許文献１に記載された紙票添付装置の課題が完全に解決されてはいなかった。
【００１６】
本発明の目的は、紙票供給部の全高が低く、紙票作成のための諸手段の部材交換作業やメンテナンス作業がやり易いことに加えて、紙票のカール状態の如何に関わらず紙票の搬送を安定して行うことのできる紙票添付装置を提供することにある。
【課題を解決するための手段】
【００１７】
本発明は、前記従来の技術が抱えていた課題を一挙に解決するために、前記特許請求の範囲に記載した構成を提供するものである。
【００１８】
具体的には、本発明の請求項１に記載の紙票添付装置は、
紙票を供給する紙票供給部と紙票を被添付物に添付する紙票添付部とを有する紙票添付装置において、
前記紙票添付部が、前記紙票供給部から紙票を引き取って搬送する搬送手段と、前記搬送手段による紙票搬送中に略水平の紙票を上方から被添付物に向けて押し出して添付する紙票添付手段と、略水平の紙票を両面から挟んで駆動転回可能な紙票転回手段と、を備えたことを特徴としている。
【００１９】
紙票転回手段により紙票を押圧挟持し、そこを支点として強制的に転回移動させるようにしたので、紙票の転回移動を確実に且つ予め定めた一定の時間で行うことできる。また、紙票転回手段を紙票供給部でなく紙票添付部に水平若しくはそれに近い状態で配置したために、紙票供給部の全高が低くなり、紙票作成のための諸手段の部材交換作業やメンテナンス作業がやり易くなる。
【００２０】
また、本発明の請求項２に記載の紙票添付装置は、請求項１に記載の紙票添付装置において、
前記搬送手段が、前記紙票添付手段の動作する領域を確保するために搬送方向に分断されて設けられ、且つ紙票が前記搬送手段の分断域を越える際に紙票端部の垂れ下がりを防止する第１エアー吹き付け手段を備えたことを特徴としている。
【００２１】
第１エアー吹き付け手段によって紙票が搬送手段の分断域を越える際に紙票端部の垂れ下がりを防止する。その結果、搬送手段による搬送移動の際及び紙票転回手段による転回移動の際のいずれにおいても、紙票はカールの有無に拘らず、搬送手段の分割部を容易且つ確実に越えて移動することができ、紙票の搬送を安定して確実に行える。
【００２２】
また、本発明の請求項３に記載の紙票添付装置は、請求項１に記載の紙票添付装置において、
前記搬送手段が、前記紙票添付手段の動作する領域を確保するために搬送方向に分断されて設けられ、且つ紙票が前記搬送手段の分断域を越える際に紙票端部の垂れ下がりを防止する第１エアー吹き付け手段を備え、更に、第１エアー吹き付け手段のエアー吹き付けによって前記搬送手段の分断域を越えた紙票の端部を当該搬送手段に設けられたコンベヤーの搬送面下流側に沿わせる第２エアー吹き付け手段を備えたことを特徴としている。
【００２３】
第１エアー吹き付け手段によって紙票が搬送手段の分断域を越える際に紙票端部の垂れ下がりを防止するとともに、搬送手段の分断域を越えた紙票の端部を第２エアー吹き付け手段によってコンベヤーの搬送面下流側に沿わせる。その結果、搬送手段による搬送移動の際及び紙票転回手段による転回移動の際のいずれにおいても、紙票はカールの有無に拘らず、搬送手段の分割部を容易且つ確実に越えて移動することができ、紙票の搬送を安定して確実に行える。
【発明の効果】
【００２４】
本発明の請求項１にかかる紙票添付装置は、紙票転回手段により紙票を押圧挟持し、そこを支点として強制的に転回移動させるようにしたので、紙票の転回移動を確実に且つ予め定めた一定の時間で行うことが可能になった。また、紙票転回手段を紙票供給部でなく紙票添付部に水平若しくはそれに近い状態で配置したために、紙票供給部の全高が低くなり、紙票作成のための諸手段の部材交換作業やメンテナンス作業がやり易くなった。更に、本発明の請求項２及び請求項３にかかる紙票添付装置では、搬送手段による搬送移動の際及び紙票転回手段による転回移動の際のいずれにおいても、紙票はカールの有無に拘らず、搬送手段の分割部を容易且つ確実に越えて移動することができ、紙票の搬送を安定して確実に行えるようになった。従って、従来抱えていた問題点を全て解消し得た。
【発明を実施するための最良の形態】
【００２５】
図１は本発明の実施の形態を示す概略構成図である。同図において、紙票添付装置１００は、紙票供給部１０１と紙票添付部１０２とに区分され、紙票供給部１０１は新聞束０２を搬送する新聞束搬送装置２００の横側に配置され、紙票添付部１０２は新聞束搬送装置２００を跨いで配置されている。
【００２６】
紙票供給部１０１は、連続紙０４を供給する紙供給手段０６、紙上に情報を記録する情報記録手段０７、及び連続紙切断手段０８を備えている。紙供給手段０６は、巻取状連続紙支持手段１０、ガイドローラー３０、第１ドラッグローラー３１、第２ドラッグローラー３２、紙票搬送手段１３及び連続紙紙継手段１４を有する。情報記録手段０７は、画線形成手段１１及び色マーク・色帯印刷手段１２を有する。
【００２７】
紙票供給部１０１では、巻取状連続紙支持手段１０に巻取状連続紙０３及び０３’が装着され、一方の巻取状連続紙０３の先端は、ガイドローラー３０、第１ドラッグローラー３１、画線形成手段１１、色マーク・色帯印刷手段１２及び第２ドラッグローラー３２を経て、連続紙切断手段０８で切断され紙票０１が形成される。形成された紙票０１は、紙票搬送手段１３の紙票送りコンベヤー４４によって紙票添付部１０２に送り込まれる。
【００２８】
他方の巻取状連続紙０３’の先端は、ガイドローラー３０’を経て連続紙紙継手段１４に繋ぎ止めされ、巻取状連続紙０３が消耗した時に、巻取状連続紙０３の末端に紙継ぎされるべく待機する。
【００２９】
また、紙票供給部１０１には、予め必要な情報が記録されている枚葉紙である前刷紙票０５が格納されている前刷紙票収容手段１５と、前刷紙票収容手段１５から前刷紙票０５を取り出す前刷紙票取出し手段１６が併設されている。
【００３０】
続いて、前記紙票供給部１０１の各手段の主な構成及び作用を説明する。
【００３１】
巻取状連続紙支持手段１０において、巻取状連続紙０３及び０３’が支持部材３５（３５’）に支持される。連続紙紙継手段１４による紙継ぎ後の巻取状連続紙０３’は前の巻取状連続紙０３の位置に移動されそのまま連続紙０４を供給し、次の巻取状連続紙０３’が前の巻取状連続紙０３’の位置に準備される。尚、括弧内は−方の端の部品を示す。
【００３２】
画線形成手段１１は、１組のサーマルヘッド３８とプラテンローラー３９を有し、走行移動する連続紙０４上に画線を形成する。
【００３３】
色マーク・色帯印刷手段１２は、複数の色印刷シリンダー４０及びスタンプ４１を有し、各スタンプ４１を色印刷シリンダー４０によりそれぞれ連続紙０４に押し付け、色マーク及び色帯を印刷する。
【００３４】
第１ドラッグローラー３１及び第２ドラッグローラー３２はローラー駆動モーター４２で駆動され、それぞれ押えゴムローラー３３、３４との間に連続紙０４を挟み、これを送り出す。
【００３５】
連続紙切断手段０８は、カッター駆動モーター（図示せず）で駆動されたロータリーカッター４３で連続紙０４を切断し、紙票０１を作成する。
【００３６】
紙票搬送手段１３は、紙票０１をその対辺端縁を両側から挟んで搬送する紙票送りコンベヤー４４及び紙票送りコンベヤー４４を駆動するコンベヤー駆動モーター４５を有する。
【００３７】
連続紙紙継手段１４は、紙継ぎシリンダー３６により連続紙０４と０４’を接触させ、両面テープ３７で連続紙０４’を連続紙０４の後端に紙継ぎする。
【００３８】
前刷紙票収容手段１５及びこれに併設された前刷紙票取出し手段１６は、図示の実施の形態では、紙票供給部１０１で作成された紙票０１に前刷紙票０５を重ね合わすように紙票添付部１０２に送り込み、紙票添付部１０２で２枚重ねて新聞束０２に添付する。又は、紙票供給部１０１の手段が故障して紙票０１が作成できない時などに、前刷紙票０５を紙票添付部１０２に供給する。
【００３９】
尚、紙票供給部１０１は、図示の実施の形態に限定されるものではなく、例えば、巻取状連続紙支持手段１０に装着する巻取状連続紙０３、０３’に予め必要な情報を記録しておくことによって情報記録手段０７を除くことが可能である。また、前刷紙票収容手段１５及び前刷紙票取出し手段１６に対して適宜な位置、例えば図１において、これら手段の上方に何らかの情報記録手段（図示せず）を併設し、枚葉紙に必要情報を記録可能であるように構成してもさしつかえない。
【００４０】
次に、本発明の紙票添付部１０２の実施の形態を示す概略構成図である図２及び図２のＡ−Ａ矢視の紙票位置図である図３を参照して本発明の紙票添付部１０２の各手段の構成及び作用を説明する。尚、図中の矢印は各シリンダーの作動方向、紙票０１の転回方向及び各エアーの吹き出し方向を示している。
【００４１】
紙票添付部１０２では、前記したように紙票供給部１０１から紙票搬送手段１３で送り込まれた紙票０１が、紙票搬送手段１３の下流に設けられた搬送手段２０で搬送され、紙票停止手段２１で所定位置に停止され、紙票転回手段２３で９０°転回移動された後、紙票添付手段２２によって押圧降下され、被添付物である新聞束０２上面に添付される。
【００４２】
但し、新聞束搬送装置２００のレイアウトにより、紙票転回手段２３を作動させる必要がない時、すなわち、紙票０１を９０°転回移動させる必要がない時は、後に説明するように、紙票転回手段２３による転回移動を行わずに次の行程に進める。
【００４３】
搬送手段２０は、第１搬送コンベヤー手段２４を構成する上第１搬送コンベヤー７０、下第１搬送コンベヤー７２及び下第２搬送コンベヤー７３と、第２搬送コンベヤー手段２５を構成する上第２搬送コンベヤー７１及び下第３搬送コンベヤー７４と、を有し、図示しない駆動源から一斉に駆動されるよう図示しない伝動手段で連結されている。また、添付前の紙票０１を支持する天板５０を有している。下第２搬送コンベヤー７３及び下第３搬送コンベヤー７４はこれらコンベヤー７３、７４がそれぞれ掛け渡されたプーリーの軸端を支持する連結部材７５で連結され、第１搬送コンベヤー手段２４の軸７６を支点として搬送コンベヤーシリンダー５３によって一体となって上下に移動する。尚、天板５０には、この下第２搬送コンベヤー７３と下第３搬送コンベヤー７４の移動を許容する切り欠きが設けられている。
【００４４】
紙票停止手段２１は、第１ストッパーシリンダー５６のロッド先端に第１ストッパー６３が、第２ストッパーシリンダー５７のロッド先端に第２ストッパー６４がそれぞれ取付けられている。
【００４５】
紙票転回手段２３は、軸受６２によって回転可能に支持された押えシリンダー取付軸６１、その一端に取付けられた押えシリンダー５４を有し、押えシリンダー５４には押えゴム５８が連結されている。押えシリンダー取付軸６１の他端には転回アーム６０が取付けられ転回アーム６０には転回シリンダー５５のロッドが連結されている。前記押えゴム５８と対向する位置には、この押えゴム５８との間に紙票０１を挟んで回転可能な受け部材５９を設ける。また、第１搬送コンベヤー手段２４と第２搬送コンベヤー手段２５の分断域Ｂに向けてその上流下方からエアーを吹き付ける第１エアー吹き付け手段２６と、紙票０１の転回後の位置決めのための第３ストッパー６５（図３参照）と、第２搬送コンベヤー手段２５の上流部上方に第２搬送コンベヤー手段２５の上流部に向けてエアーを吹き付ける第２エアー吹き付け手段２７と、を有する。
【００４６】
紙票添付手段２２は、添付シリンダー５２のロッドの先端に紙票添付ブロック５１が取付けられ紙票添付ブロック５１内部には下方に向けてエアーを吹き付ける第３エアー吹き付け手段２８を有する。
【００４７】
ここで、紙票０１を新聞束０２の上面に新聞束搬送装置２００の進行方向に対し長辺を前後にして添付する際の紙票転回手段２３を用いての紙票０１のＸ位置からＹ位置（図３参照；破線位置）への転回移動の作動を説明する。
【００４８】
紙票供給部１０１の紙票搬送手段１３（図１参照）に待機させられている紙票０１は、新聞束搬送装置２００によって搬送される新聞束０２の位置に基づいて出力される添付指令により、紙票搬送手段１３及び搬送手段２０のクラッチ（図示せず）がＯＮし、紙票送りコンベヤー４４（図１参照）並びに上第１搬送コンベヤー７０及び下第１搬送コンベヤー７２が駆動され、それに伴い、上第２搬送コンベヤー７１、下第２搬送コンベヤー７３及び下第３搬送コンベヤー７４が動き、更に、図２に示す搬送コンベヤーシリンダー５３のロッドが縮まり、軸７６を支点として連結部材７５が上方向に移動し、連結部材７５に連結されている下第２搬送コンベヤー７３及び下第３搬送コンベヤー７４が上昇し、紙票０１は対辺端縁を上下の各コンベヤーに挟まれ、搬送手段２０内への導入が開始される。同時に、紙票停止手段２１の第１ストッパーシリンダー５６のロッドが伸びてロッドに連結された第１ストッパー６３が下降し、ストッパーに向かって移動している紙票０１は、第１ストッパー６３に当たって停止する（図３のＸ位置）。尚、紙票搬送手段１３の紙票送りコンベヤー４４は、紙票０１の１枚分を送り出すだけ動作するとそのクラッチがＯＦＦし動作を停止する。
【００４９】
その後、第１確認センサー７８が紙票０１の導入を確認し、搬送手段２０のクラッチがＯＦＦし、上第１搬送コンベヤー７０及び下第１搬送コンベヤー７２の駆動が停止し、それに伴い上第２搬送コンベヤー７１、下第２搬送コンベヤー７３及び下第３搬送コンベヤー７４の駆動が停止する。更に、搬送コンベヤーシリンダー５３のロッドが伸びて下第２搬送コンベヤー７３及び下第３搬送コンベヤー７４が下降し、紙票０１と上搬送コンベヤー７０、７１と下搬送コンベヤー７２、７３、７４との間にわずかな隙間を生じさせる。同時に、図２に示す紙票転回手段２３の押えシリンダー５４のロッドが伸びて、ロッド先端に取付けられた押えゴム５８が回転可能な受け部材５９との間に紙票０１を挟み込む。また、第１ストッパーシリンダー５６のロッドが縮まり第１ストッパー６３が上昇する。
【００５０】
次に、転回シリンダー５５のロッドが伸びて、転回アーム６０、押えシリンダー取付軸６１（図２参照）を介して押えゴム５８が受け部材５９との間に紙票０１を挟み込んだ状態で回転し、紙票０１は略９０°転回移動し、第３ストッパー６５に当たって停止する（図３のＹ位置）。この時、第１エアー吹き付け手段２６から紙票０１の下面にエアーを吹き付け、第１搬送コンベヤー手段２４と第２搬送コンベヤー手段２５の間の搬送手段２０の分断域Ｂ（図２参照）を越える紙票０１の自由端を浮かすようにして垂れ下がるのを防止し、転回を確実且つ容易にする。
【００５１】
図３に示す第２確認センサー７９で紙票０１を確認後、第２エアー吹き付け手段２７から紙票０１の自由端を第２搬送コンベヤー手段２５（図２参照）に沿って下流に押し拡げつつ、天板５０に押し付ける方向にエアーを上方から紙票０１に向かって吹き付け、紙票０１がカールすることを防ぐ。
【００５２】
続いて、押えシリンダー５４（図２参照）のロッドが縮まり、押えゴム５８と受け部材５９による紙票０１の挟み込みを止め、同時に、紙票添付手段２２の添付シリンダー５２のロッドが伸びてロッドに連結された紙票添付ブロック５１が搬送手段２０の分断域Ｂを通って下降する。この下降に際し、新聞束搬送装置２００上の新聞束０２の高さを束高さ検出センサー（図示せず）が検出し、添付シリンダー５２のロッドの伸長動作を適宜の位置で停止させ、紙票０１を所定の位置にある新聞束０２に添付する。この時、第３エアー吹き付け手段２８からエアーを紙票０１の上面に吹き付け、紙票０１が紙票添付ブロック５１から離れ易くする。その後、転回シリンダー５５のロッド及び添付シリンダー５２のロッドが縮まり、元の状態に戻る。
【００５３】
次に、紙票０１を新聞束０２の上面に新聞束搬送装置２００の進行方向に対し短辺を前後にして添付する、つまり、紙票転回手段２３による紙票０１の転回移動を行わず、紙票をＺ位置（図３参照；実線位置）に移動して紙票添付手段２２による添付を行う場合の作動を説明する。
【００５４】
紙票供給部１０１の紙票搬送手段１３（図１参照）に待機させられている紙票０１は、新聞束搬送装置２００によって搬送される新聞束０２の位置に基づいて出力される添付指令により、紙票搬送手段１３及び搬送手段２０のクラッチ（図示せず）がＯＮし、紙票送りコンベヤー４４並びに上第１搬送コンベヤー７０及び下第１搬送コンベヤー７２が駆動され、それに伴い、上第２搬送コンベヤー７１、下第２搬送コンベヤー７３及び下第３搬送コンベヤー７４が動き、更に、搬送コンベヤーシリンダー５３のロッドが縮まり、軸７６（図２参照）を支点として連結部材７５が上方向に移動し、連結部材７５に連結されている下第２搬送コンベヤー７３及び下第３搬送コンベヤー７４が上昇し、紙票０１は対辺端縁を上下の各コンベヤーに挟まれ、搬送手段２０内への導入が開始される。同時に、紙票停止手段２１の第２ストッパーシリンダー５７のロッドが伸びてロッドに連結された第２ストッパー６４が下降し、ストッパーに向かって移動している紙票０１は、第２ストッパー６４に当たって停止する（図３のＺ位置）。この間、第１エアー吹き付け手段２６から紙票０１の下面にエアーを吹き付け、第１搬送コンベヤー手段２４と第２搬送コンベヤー手段２５の間の搬送手段２０の分断域Ｂ（図２参照）を越える紙票０１の自由端を浮かすようにして垂れ下がるのを防止し、紙票０１の前記分断域Ｂを越えて第２搬送コンベヤー手段２５への移動を確実且つ容易にする。尚、紙票搬送手段１３の紙票送りコンベヤー４４は、紙票０１の１枚分を送り出すだけ動作するとそのクラッチがＯＦＦし動作を停止する。
【００５５】
第２確認センサー７９（図３参照）が宛名紙票０１の搬入確認後、搬送手段２０のクラッチがＯＦＦし、上第１搬送コンベヤー７０及び下第１搬送コンベヤー７２の駆動が停止し、それに伴い上第２搬送コンベヤー７１、下第２搬送コンベヤー７３及び下第３搬送コンベヤー７４の駆動が停止する。更に、搬送コンベヤーシリンダー５３のロッド（図２参照）が伸びて下第２搬送コンベヤー７３及び下第３搬送コンベヤー７４が下降し、紙票０１と上搬送コンベヤー７０、７１及び下搬送コンベヤー７２、７３、７４との間にわずかな隙間を生じさせる。また、第２エアー吹き付け手段２７から紙票０１自由端を第２搬送コンベヤー手段２５に沿って下流に押し拡げつつ、天板５０に押し付ける方向にエアーを上方から紙票０１に向かって吹き付け、紙票０１がカールすることを防ぐ。
【００５６】
続いて、紙票添付手段２２の添付シリンダー５２のロッドが伸びてロッドに連結された紙票添付ブロック５１が搬送手段２０の分断域Ｂを通って下降する。この下降に際し、新聞束搬送装置２００上の新聞束０２の高さを束高さ検出センサー（図示せず）が検出し、添付シリンダー５２のロッドの伸長動作を適宜の位置で停止させ、紙票０１を所定の位置にある新聞束０２に添付する。この時、第３エアー吹き付け手段２８からエアーを紙票０１の上面に吹き付け、紙票０１が紙票添付ブロック５１から離れ易くする。その後、添付シリンダー５２のロッドが縮まり、元の状態に戻る。
【００５７】
尚、前記搬送手段２０の延長端末部には、図１及び図２に示すように損紙受８０及び有効紙票受８１が設けられ、切り換えシリンダー８４（図２参照）で切り換え部材８２を切り換えてそれぞれ損紙や紙票を誘導し収納する。つまり、前記連続紙紙継手段１４で生ずる紙継ぎ部分等の損紙は搬送ベルト８３（図２参照）で搬送され、損紙受８０に収納される。また、新聞束０２の荷崩れ等のトラブル時には紙票供給部１０１で作成された有効な紙票０１は新聞束０２に添付されず、有効紙票受８１に収納される。
【図面の簡単な説明】
【００５８】
【図１】本発明の紙票添付装置の実施の形態を示す概略構成図である。
【図２】本発明の紙票添付部の実施の形態を示す概略構成図である。
【図３】図２のＡ−Ａ矢視の紙票位置図である。
【図４】新聞束上面の紙票の添付状態を示す図であり、新聞束上面の略中央部に新聞束の長辺側と紙票の長辺側が整合して添付された状態（図４（ａ）、（ｂ））、及び新聞束上面の略中央部に新聞束の長辺側に紙票の短辺側が対応して添付された状態（図４（ｃ）、（ｄ））を示している。
【図５】新聞束搬送装置の従来のレイアウトを示す図である。
【図６】新聞束搬送装置の図５とは異なる従来のレイアウトを示す図である。
【図７】特許文献３に示されている紙票添付装置の概略図である。
【符号の説明】
【００５９】
Ｘ  転回手段を使用する場合の、転回前の紙票位置
（第１ストッパー６３で停止した状態）
Ｙ  転回手段を使用する場合の、略９０°転回移動後の添付可能な紙票位置
（第３ストッパー６５で停止した状態）
Ｚ  転回手段を使用しない場合の、添付可能な紙票位置
（第２ストッパー６４で停止した状態）
Ｂ  第１搬送コンベヤー手段２４と第２搬送コンベヤー手段２５の間の搬送手段２０の分断域
１００  紙票添付装置                  ２０５  紙票読取り装置
１０１  紙票供給部                    ２０６  搬送方向変換装置
１０２  紙票添付部                    ２０８  建物の柱等の障害物
１０５、１０６、１０７  紙票添付装置  ３０１  紙票供給部
２００  新聞束搬送装置                ３０２  紙票添付部
２０１  輪転機                        ３０３  紙票供給部
２０２  集積装置                      ３０４  紙票転回手段
２０３  包装装置                      ３０５  シリンダー
２０４  包装材                        ３０６  受け部材
０１  紙票                            ４２  ローラー駆動モーター
０２  新聞束（被添付物）              ４３  ロータリーカッター
０３、０３’巻取状連続紙              ４４  紙票送りコンベヤー
０４  連続紙                          ４５  コンベヤー駆動モーター
０５  前刷紙票                        ５０  天板
０６  紙供給手段                      ５１  紙票添付ブロック
０７  情報記録手段                    ５２  添付シリンダー
０８  連続紙切断手段                  ５３  搬送コンベヤーシリンダー
１０  巻取状連続紙支持手段            ５４  押えシリンダー
１１  画線形成手段                    ５５  転回シリンダー
１２  色マーク・色帯印刷手段          ５６  第１ストッパーシリンダー
１３  紙票搬送手段                    ５７  第２ストッパーシリンダー
１４  連続紙紙継手段                  ５８  押えゴム
１５  前刷紙票収容手段                ５９  受け部材
１６  前刷紙票取出し手段              ６０  転回アーム
２０  搬送手段                        ６１  押えシリンダー取付軸
２１  紙票停止手段                    ６２  軸受
２２  紙票添付手段                    ６３  第１ストッパー
２３  紙票転回手段                    ６４  第２ストッパー
２４  第１搬送コンベヤー手段          ６５  第３ストッパー
２５  第２搬送コンベヤー手段          ７０  上第１搬送コンベヤー
２６  第１エアー吹き付け手段          ７１  上第２搬送コンベヤー
２７  第２エアー吹き付け手段          ７２  下第１搬送コンベヤー
２８  第３エアー吹き付け手段          ７３  下第２搬送コンベヤー
３０、３０’  ガイドローラー          ７４  下第３搬送コンベヤー
３１  第１ドラッグローラー            ７５  連結部材
３２  第２ドラッグローラー            ７６  軸
３３、３４  押えゴムローラー          ７８  第１確認センサー
３５、３５’  支持部材                ７９  第２確認センサー
３６  紙継ぎシリンダー                ８０  損紙受
３７  両面テープ                      ８１  有効紙票受
３８  サーマルヘッド                  ８２  切り換え部材
３９  プラテンローラー                ８３  搬送ベルト
４０  色印刷シリンダー                ８４  切り換えシリンダー
４１  スタンプ              
【図１】
2007106458.tif 000003
【図２】
2007106458.tif 000004
【図３】
2007106458.tif 000005
【図４】
2007106458.tif 000006
【図５】
2007106458.tif 000007
【図６】
2007106458.tif 000008
【図７】
2007106458.tif 000009